(57)【特許請求の範囲】
【請求項１】
対象者にそれぞれ割り当てられたアカウントに関連付けて日記を記憶する記憶手段と、
前記対象者のそれぞれのアカウントまたは前記対象者のそれぞれのアカウントに関連付けされた関係者のアカウントによって認証された第１の端末に対し、当該認証された対象者のそれぞれのアカウントまたは当該認証された関係者のアカウントに関連付けされた対象者のそれぞれのアカウントに関連付けて第１の日記を作成し、作成された第１の日記を当該認証された対象者のそれぞれのアカウントまたは当該認証された関係者のアカウントに関連付けされた対象者のそれぞれのアカウントに関連付けて前記記憶手段に記憶するための第１の日記作成画面を提供する手段と、
前記対象者のそれぞれのアカウントに関連付けられたＵＲＬが記録された情報記録担体であり、前記対象者のそれぞれの所持品に付される情報記録担体と、
前記情報記録担体から前記ＵＲＬを読み取り、この読み取ったＵＲＬによりアクセスした第三者が使用する第２の端末に対し、当該ＵＲＬに関連付けられたアカウントに関連付けて第２の日記を作成し、作成された第２の日記を当該アカウントに関連付けて前記記憶手段に記憶するための第２の日記作成画面を提供する手段と、
前記対象者のそれぞれのアカウントまたは前記対象者のそれぞれのアカウントに関連付けされた関係者のアカウントによって認証された第１の端末に対し、当該認証された対象者のアカウントまたは当該認証された関係者のアカウントに関連付けされた対象者のそれぞれのアカウントに関連付けされた第１の日記および第２の日記を前記記憶手段から取得し、第１の日記および第２の日記を表示する日記表示画面を提供する手段と
を含む日記作成システム。
【請求項２】
前記日記表示画面は、前記第１の日記が前記対象者またはその関係者により作成された日記であることを示すアイコンボタンとして表示させ、前記第２の日記が前記対象者の外出時に作成された日記であることを示すアイコンボタンとして表示させるものである請求項１記載の日記作成システム。
【請求項３】
前記第２の日記作成画面は、前記対象者の状態を複数のアイコンの中から選択することにより入力するものである請求項１または２に記載の日記作成システム。
【請求項４】
前記第２の日記作成画面は、前記第２の端末により撮影した写真を前記第２の日記に含ませるものである請求項１から３のいずれか１項に記載の日記作成システム。
【請求項５】
前記第２の日記作成画面は、前記第２の端末より位置情報を取得して前記第２の日記に含ませるものである請求項１から４のいずれか１項に記載の日記作成システム。
【請求項６】
対象者にそれぞれ割り当てられたアカウントに関連付けて日記を記憶する記憶手段と、
前記対象者のそれぞれのアカウントまたは前記対象者のそれぞれのアカウントに関連付けされた関係者のアカウントによって認証された第１の端末に対し、当該認証された対象者のそれぞれのアカウントまたは当該認証された関係者のアカウントに関連付けされた対象者のそれぞれのアカウントに関連付けて第１の日記を作成し、作成した第１の日記を当該認証された対象者のそれぞれのアカウントまたは当該認証された関係者のアカウントに関連付けされた対象者のそれぞれのアカウントに関連付けて前記記憶手段に記憶するための第１の日記作成画面を提供する手段と、
前記対象者のそれぞれのアカウントに関連付けられたＵＲＬが記録された情報記録担体であり、前記対象者のそれぞれの所持品に付される情報記録担体と、
前記情報記録担体から前記ＵＲＬを読み取り、この読み取ったＵＲＬによりアクセスした第三者が使用する第２の端末に対し、当該ＵＲＬに関連付けられたアカウントに関連付けて第２の日記を作成し、作成した第２の日記を当該アカウントに関連付けて前記記憶手段に記憶するための第２の日記作成画面を提供する手段と、
前記対象者のそれぞれのアカウントまたは前記対象者のそれぞれのアカウントに関連付けされた関係者のアカウントによって認証された第１の端末に対し、当該認証された対象者のアカウントまたは当該認証された関係者のアカウントに関連付けされた対象者のそれぞれのアカウントに関連付けされた第１の日記および第２の日記を前記記憶手段から取得し、第１の日記および第２の日記を表示する日記表示画面を提供する手段と
してコンピュータを機能させるための日記作成プログラム。
【請求項７】
日記装置が、対象者にそれぞれ割り当てられたアカウントまたは前記対象者のそれぞれのアカウントに関連付けされた関係者のアカウントによって認証された第１の端末に対し、当該認証された対象者のそれぞれのアカウントまたは当該認証された関係者のアカウントに関連付けされた対象者のそれぞれのアカウントに関連付けて第１の日記を作成するための第１の日記作成画面を提供し、この第１の日記作成画面により作成された第１の日記を当該認証された対象者のそれぞれのアカウントまたは当該認証された関係者のアカウントに関連付けされた対象者のそれぞれのアカウントに関連付けて記憶手段に記憶すること、
日記装置が、前記対象者のそれぞれのアカウントに関連付けられたＵＲＬが記録された情報記録担体であり、前記対象者のそれぞれの所持品に付される情報記録担体を読み取り、この読み取ったＵＲＬによりアクセスした第三者が使用する第２の端末に対し、当該ＵＲＬに関連付けられたアカウントに関連付けて第２の日記を作成するための第２の日記作成画面を提供し、この第２の日記作成画面により作成された第２の日記を当該アカウントに関連付けて前記記憶手段に記憶すること、
日記装置が、前記対象者のそれぞれのアカウントまたは前記対象者のそれぞれのアカウントに関連付けされた関係者のアカウントによって認証された第１の端末に対し、当該認証された対象者のアカウントまたは当該認証された関係者のアカウントに関連付けされた対象者のそれぞれのアカウントに関連付けされた第１の日記および第２の日記を前記記憶手段から取得し、第１の日記および第２の日記を表示する日記表示画面を提供すること
を含む日記作成方法。
【発明の詳細な説明】
【技術分野】
【０００１】
本発明は、対象者の近況に関する日記を作成するための日記作成システム、日記作成プログラムおよび日記作成方法に関する。
【背景技術】
【０００２】
介護スタッフ、被介護者本人およびその家族間において介護支援情報等の共有を図る介護支援システムが知られている。例えば、特許文献１には、介護支援情報等管理サーバとネットワークと介護事業所等のスタッフ、被介護者本人およびその家族等の利用者端末とから構成される介護支援システムであり、登録権限が与えられた介護事業所等のスタッフ、被介護者本人およびその家族等の利用者端末等からネットワークを介して、各種の情報を介護支援情報等管理サーバへ登録する介護支援システムが記載されている。
【０００３】
この介護支援システムでは、被介護者等の介護支援システムの利用者が、今日（その日）の体調の程度を示す選択肢ボタンを選択すると介護支援情報等管理サーバに登録されるようになっている。また、この介護支援情報等管理サーバに登録された種々の情報は、参照権限が与えられた介護事業所等のスタッフ、被介護者本人およびその家族等が参照することが可能となっている。さらに、この介護支援システムでは、血圧・脈拍等の登録を行うことも可能となっている。
【先行技術文献】
【特許文献】
【０００４】
【特許文献１】特開２０１５−２８７７２号公報
【発明の概要】
【発明が解決しようとする課題】
【０００５】
上記の介護支援システムでは、予め登録権限が与えられた介護事業所のスタッフ、被介護者本人およびその家族等のみが介護支援情報等管理サーバに登録することが可能となっている。そのため、被介護者の近況に関して情報を登録できる者が、被介護者本人以外では被介護者本人に直接関わる介護事業所のスタッフまたは家族のみに限られてしまっており、被介護者本人に直接関わりのない第三者は登録することが不可能となっている。
【０００６】
そこで、本発明においては、被介護者などのお年寄り等の見守り対象者本人に直接関わりのない第三者であっても、対象者の近況に関する日記を容易に作成することが可能な日記作成システム、日記作成プログラムおよび日記作成方法を提供することを目的とする。
【課題を解決するための手段】
【０００７】
本発明の日記作成システムは、対象者にそれぞれ割り当てられたアカウントに関連付けて日記を記憶する記憶手段と、対象者のそれぞれのアカウントによって認証された第１の端末に対し、当該認証されたアカウントに関連付けて第１の日記を作成し、作成された第１の日記を当該認証されたアカウントに関連付けて記憶手段に記憶するための第１の日記作成画面を提供する手段と、対象者のそれぞれのアカウントに関連付けられたＵＲＬが記録された情報記録担体であり、対象者のそれぞれの所持品に付される情報記録担体と、情報記録担体からＵＲＬを読み取り、この読み取ったＵＲＬによりアクセスした第２の端末に対し、当該ＵＲＬに関連付けられたアカウントに関連付けて第２の日記を作成し、作成された第２の日記を当該アカウントに関連付けて記憶手段に記憶するための第２の日記作成画面を提供する手段とを含むものである。
【０００８】
また、本発明の日記作成方法は、対象者にそれぞれ割り当てられたアカウントによって認証された第１の端末に対し、当該認証されたアカウントに関連付けて第１の日記を作成するための第１の日記作成画面を提供し、この第１の日記作成画面により作成された第１の日記を当該認証されたアカウントに関連付けて記憶手段に記憶すること、対象者のそれぞれのアカウントに関連付けられたＵＲＬが記録された情報記録担体であり、対象者のそれぞれの所持品に付される情報記録担体からＵＲＬを読み取り、この読み取ったＵＲＬによりアクセスした第２の端末に対し、当該ＵＲＬに関連付けられたアカウントに関連付けて第２の日記を作成するための第２の日記作成画面を提供し、この第２の日記作成画面により作成された第２の日記を当該アカウントに関連付けて記憶手段に記憶することを特徴とする。
【０００９】
これらの発明によれば、対象者のそれぞれのアカウントによって認証された第１の端末により第１の日記を作成するほか、対象者が外出した際には、その所持品に付された情報記録担体からＵＲＬを第２の端末により読み取り、このＵＲＬにアクセスすることで、当該ＵＲＬに関連付けられたアカウントに関連付けて第２の日記を作成することが可能となる。すなわち、対象者の外出時には、その外出先において、対象者本人に直接関わりのない第三者が、対象者の所持品に付された情報記録担体を第２の端末により読み取ることで、対象者本人に代わり、対象者の近況に関する日記を容易に作成することが可能となる。
【００１０】
また、本発明の日記作成プログラムは、対象者にそれぞれ割り当てられたアカウントに関連付けて日記を記憶する記憶手段と、対象者のそれぞれのアカウントによって認証された第１の端末に対し、当該認証されたアカウントに関連付けて第１の日記を作成し、作成した第１の日記を当該認証されたアカウントに関連付けて記憶手段に記憶するための第１の日記作成画面を提供する手段と、対象者のそれぞれのアカウントに関連付けられたＵＲＬが記録された情報記録担体であり、対象者のそれぞれの所持品に付される情報記録担体と、情報記録担体からＵＲＬを読み取り、この読み取ったＵＲＬによりアクセスした第２の端末に対し、当該ＵＲＬに関連付けられたアカウントに関連付けて第２の日記を作成し、作成した第２の日記を当該アカウントに関連付けて記憶手段に記憶するための第２の日記作成画面を提供する手段としてコンピュータを機能させるためのものである。このプログラムを実行したコンピュータによれば、上記本発明の日記作成システムと同様の作用、効果を奏することができる。
【発明の効果】
【００１１】
対象者にそれぞれ割り当てられたアカウントによって認証された第１の端末に対し、当該認証されたアカウントに関連付けて第１の日記を作成するための第１の日記作成画面を提供し、この第１の日記作成画面により作成された第１の日記を当該認証されたアカウントに関連付けて記憶手段に記憶するとともに、対象者のそれぞれのアカウントに関連付けられたＵＲＬが記録された情報記録担体であり、対象者のそれぞれの所持品に付される情報記録担体からＵＲＬを読み取り、この読み取ったＵＲＬによりアクセスした第２の端末に対し、当該ＵＲＬに関連付けられたアカウントに関連付けて第２の日記を作成するための第２の日記作成画面を提供し、この第２の日記作成画面により作成された第２の日記を当該アカウントに関連付けて記憶手段に記憶する構成により、対象者本人に直接関わりのない第三者であっても、対象者の近況に関する日記を容易に作成することが可能となる。
【図面の簡単な説明】
【００１２】
【図１】本発明の実施の形態における日記作成システムの概略構成図である。
【図２】日記表示ページ提供手段により提供されるウェブページの例を示す図である。
【図３】第１の日記作成のウェブページの例を示す図である。
【図４】（ａ）はお年寄りの活動状態を表すアイコンの例を示す図、（ｂ）はお年寄りの表情状態を表すアイコンの例を示す図である。
【図５】詳細入力のためのウェブページの例を示す図である。
【図６】バイタル簡易入力のためのウェブページの例を示す図である。
【図７】第１の日記確認のウェブページの例を示す図である。
【図８】第２の日記作成のウェブページの例を示す図である。
【図９】第２の日記確認のウェブページの例を示す図である。
【図１０】日記のカレンダー画面のウェブページの例を示す図である。
【図１１】第２の日記表示のウェブページの例を示す図である。
【発明を実施するための形態】
【００１３】
図１は本発明の実施の形態における日記作成システムの概略構成図である。図１において、本発明の実施の形態における日記作成システムは、日記を作成する対象者としてのお年寄りの近況に関する日記を作成するためのものであり、通信ネットワークとしてのインターネットに接続された日記装置１と、インターネットを介して日記装置１にアクセス可能なスマートフォン等の第１および第２の端末２，３等とにより構成される。なお、本明細書中において、お年寄り本人またはその関係者が作成する日記を「第１の日記」、第三者が作成する日記を「第２の日記」と称す。
【００１４】
第１の端末２は、お年寄り本人またはその関係者が第１の日記の作成および日記を参照するために使用するものである。なお、お年寄りには、それぞれＩＤおよびパスワードにより認証されるアカウントが予め割り当てられ、日記装置１に登録されている。また、このお年寄りの関係者、すなわち、お年寄りの家族や介護スタッフ等の関係者にもそれぞれＩＤおよびパスワードにより認証されるアカウントが予め割り当てられ、日記装置１に登録されている。また、お年寄りの関係者のアカウントには、それぞれが関係するお年寄りのアカウントが関連付けされている。
【００１５】
また、お年寄りのそれぞれのアカウントには、それぞれのアカウントに関連付けられたＵＲＬが記録された情報記録担体としての二次元コード４が付与されている。二次元コード４は、例えば次のようなＵＲＬから生成される。
https://XXXXXX/family/goout.pho?family_id=YY
ここで、XXXXXXには日記装置１のインターネット上のＩＰアドレス（サーバ名）が、YYにはお年寄りのＩＤがそれぞれ割り当てられる。この二次元コード４はお年寄りのそれぞれの所持品５に付される。所持品５は、お年寄りの外出時に必ず身に着けるものである。
【００１６】
第２の端末３は、第三者が使用するものである。なお、第三者は、お年寄り本人に直接関わりのない者を想定しているが、お年寄り本人およびその関係者であっても良い。第三者は日記装置１にアカウントが登録されていることを要しない。
【００１７】
日記装置１は、お年寄りにそれぞれ割り当てられたアカウントに関連付けて日記を記憶する記憶手段１０と、お年寄り本人またはその関係者が第１の日記を作成するための第１の日記作成画面としてのウェブページを提供する手段としての第１日記作成ページ提供手段１１と、第三者が第２の日記を作成するための第２の日記作成画面としてのウェブページを提供する手段としての第２日記作成ページ提供手段１２と、日記を表示する日記表示画面としてのウェブページを提供する手段としての日記表示ページ提供手段１３とを有する。
【００１８】
日記表示ページ提供手段１３は、お年寄りまたはその関係者のそれぞれのアカウントによって認証された第１の端末２に対し、認証されたお年寄り本人またはその関係者に紐付けされたお年寄りの近況に関する日記を記憶手段１０から取得し、提供する。図２は日記表示ページ提供手段１３により第１の端末２に提供されるウェブページ２０の例を示している。
【００１９】
第１日記作成ページ提供手段１１は、お年寄りまたはその関係者のそれぞれのアカウントによって認証された第１の端末２に対し、お年寄り本人またはその関係者に関連付けられたお年寄りの近況に関する第１の日記を作成するための第１のウェブページを提供する。上述の日記表示ページ提供手段１３により第１の端末２に提供された図２のウェブページ２０の日記作成ボタン２１がタップ（指定）された場合に、第１日記作成ページ提供手段１１は第１の端末２に図３に示す第１の日記を作成するためのウェブページ３０を提供する。
【００２０】
図３に示すように第１の日記作成のウェブページ３０には、お年寄りの状態を複数のアイコンの中から選択することにより入力する状態選択欄３１と、写真ファイルを選択して入力する写真選択欄３２と、お年寄りの様子を文字により入力する様子入力欄３３とが設けられている。状態選択欄３１では、活動タブ３１ａによってお年寄りの活動状態を表すアイコンを選択でき、表情タブ３１ｂによってお年寄りの表情状態を表すアイコンを選択できるようになっている。図４（ａ）は活動タブ３１ａによって選択可能な活動状態を表すアイコンの例を、図４（ｂ）は表情タブ３１ｂによって選択可能な表情状態を表すアイコンの例をそれぞれ示している。
【００２１】
また、第１の日記作成のウェブページ３０には、さらに詳細な情報を入力するための詳細入力ボタン３４が設けられている。この詳細入力ボタン３４がタップ（指定）されると、第１日記作成ページ提供手段１１は図５に示すような詳細入力のためのウェブページ４０を第１の端末２へ提供する。図５に示すように、詳細入力のウェブページ４０では、お年寄りの体温、血圧や脈拍等のバイタルや、介護スタッフへの伝言を入力することが可能となっている。
【００２２】
また、図５に示すバイタル簡易入力ボタン４１がタップ（指定）されると、第１日記作成ページ提供手段１１は図６に示すようなバイタル簡易入力のためのウェブページ４２を第１の端末２へ提供する。図６に示すように、バイタル簡易入力のウェブページ４２では、体温、最高血圧、最低血圧や脈拍等の各数値を選択してタップ（指定）するだけで各バイタルを簡易入力することが可能となっている。
【００２３】
図３に戻って、上記各入力が完了した後、次へボタン３５がタップ（指定）されると、第１日記作成ページ提供手段１１は図７に示すような日記確認のウェブページ５０を第１の端末２へ提供する。この日記確認のウェブページ５０には、状態選択欄３１により選択されたアイコン５１、様子入力欄３３により入力されたお年寄りの様子５２、写真選択欄３２により選択された写真５３、詳細入力のウェブページ４０から入力されたバイタル５４および介護スタッフへの伝言５５が含まれる。
【００２４】
ここで、完了ボタン５６がタップ（指定）されると、第１日記作成ページ提供手段１１は作成された第１の日記を当該認証されたアカウントに関連付けて、すなわち、第１の端末２のお年寄り本人またはその関係者に関連付けられたお年寄りの日記として記憶手段１０に記憶する。
【００２５】
第２日記作成ページ提供手段１２は、お年寄りの所持品５に付されている二次元コード４を読み取り、この読み取った二次元コード４に含まれるＵＲＬによりアクセスした第２の端末３に対し、当該ＵＲＬに関連付けられたアカウントに関連付けて第２の日記を作成するための第２のウェブページを提供する。
【００２６】
図８は第２日記作成ページ提供手段１２により第２の端末３に提供される第２の日記作成のウェブページ６０の例を示している。図８に示すように第２の日記作成のウェブページ６０には、前述の第１日記作成ページ提供手段１１により提供されるウェブページ３０と同様にお年寄りの状態を複数のアイコンの中から選択することにより入力する状態選択欄６１と、写真ファイルを選択して入力する写真選択欄６２と、お年寄りの様子を文字により入力する様子入力欄６３とが設けられている。
【００２７】
状態選択欄６１では、活動タブ６１ａによってお年寄りの活動状態を表すアイコンを選択でき、表情タブ６１ｂによってお年寄りの表情状態を表すアイコンを選択できるようになっている。活動タブ６１ａおよび表情タブ６１ｂの内容については、図４で説明したものと同様である。写真選択欄６２では、第２の端末３により撮影したお年寄りの写真を選択することで、第２の日記に含ませることが可能となっている。また、第２の端末３がＧＰＳ（グローバル・ポジショニング・システム）を搭載している場合には、第２のウェブページ６０は、この第２の端末３より位置情報を取得して第２の日記に含ませることが可能となっている。
【００２８】
上記各入力が完了した後、次へボタン６４がタップ（指定）されると、第２日記作成ページ提供手段１２は図９に示すような日記確認のウェブページ７０を第２の端末３へ提供する。この日記確認のウェブページ７０には、状態選択欄６１により選択されたアイコン７１、様子入力欄６３により入力されたお年寄りの様子７２、写真選択欄６２により選択された写真７３、および、第２の端末３により取得された位置情報に基づく現在地の地図７４が含まれる。
【００２９】
ここで、完了ボタン７５がタップ（指定）されると、第２日記作成ページ提供手段１２は作成された第２の日記を前述のＵＲＬに関連付けられたアカウントに関連付けて、すなわち、第２の端末３により読み取られた二次元コード４が付されている所持品５を身に着けているお年寄りのアカウントに関連付けて記憶手段１０に記憶する。
【００３０】
上述のように第２日記作成ページ提供手段１２により作成された第２の日記は、日記表示ページ提供手段１３により図１０および図１１に示すように第１の端末２に提供される。図１０は日記のカレンダー画面のウェブページの例を示す図、図１１は第２の日記表示のウェブページの例を示す図である。
【００３１】
図１０に示すように、日記のカレンダー画面のウェブページ８０には、第２日記作成ページ提供手段１２により作成された第２の日記が、お年寄りの外出時に作成された日記であることを示すアイコンボタン８１として表示される。なお、前述の第１日記作成ページ提供手段１１により作成された第１の日記は、図２に示すようにお年寄り本人またはその関係者により作成された日記であることを示すアイコンボタン２２として表示される。
【００３２】
ここで、アイコンボタン８１がタップ（指定）されると、日記表示ページ提供手段１３は第１の端末２に対し、指定された日記を記憶手段１０から取得し、図１１に示すように表示する。図１１に示す日記のウェブページ９０には、状態選択欄６１により選択されたアイコン９１、写真選択欄６２により選択された写真９２、様子入力欄６３により入力されたお年寄りの様子９３、および、第２の端末３により取得された位置情報に基づく現在地の地図９４が含まれる。
【００３３】
上記のように本実施形態における日記作成システムでは、お年寄りのそれぞれのアカウントに関連付けられたＵＲＬを含む二次元コード４をお年寄りのそれぞれの所持品５に付しておき、お年寄りの外出時には、この二次元コード４を第三者の第２の端末３により読み取ることで、第三者がお年寄りの外出時の近況に関する日記を作成することが可能となっている。このとき、第三者は日記装置１にアカウントが登録されている必要はなく、お年寄り等の見守り対象者本人に直接関わりのない第三者であっても容易に日記を作成することが可能である。
【００３４】
なお、上記実施形態においては、お年寄りのそれぞれのアカウントに関連付けられたＵＲＬが記録された情報記録担体として二次元コード４を用いているが、これに代えてＩＣチップを用いることも可能である。要するに、第２の端末３により読み取り可能な情報記録担体であれば使用可能である。
【００３５】
また、上記実施形態においては、第１および第２の日記作成画面や日記表示画面としてウェブページを提供するが、ウェブページ以外にも専用のアプリケーションにより提供する形式を採用することも可能である。
【産業上の利用可能性】
【００３６】
本発明の日記作成システム、日記作成プログラムおよび日記作成方法は、被介護者などのお年寄り等の見守り対象者の近況に関する日記を作成するための日記作成システム、日記作成プログラムおよび日記作成方法として有用である。
【符号の説明】
【００３７】
１  日記装置
２  第１の端末
３  第２の端末
４  二次元コード
５  所持品
１０  記憶手段
１１  第１日記作成ページ提供手段
１２  第２日記作成ページ提供手段
１３  日記表示ページ提供手段
【図１】
0006786063.tif 000002
【図２】
0006786063.tif 000003
【図３】
0006786063.tif 000004
【図４】
0006786063.tif 000005
【図５】
0006786063.tif 000006
【図６】
0006786063.tif 000007
【図７】
0006786063.tif 000008
【図８】
0006786063.tif 000009
【図９】
0006786063.tif 000010
【図１０】
0006786063.tif 000011
【図１１】
0006786063.tif 000012